(57)【要約】【課題】ドアトリムの剛性を確保すると共に、側突における乗員の二次衝突による衝突反力を減少させることが可能な自動車用ドアトリムの取付構造を提供する。【解決手段】外側トリム部材１８には挿入孔及び係止孔３６が設けられており、挿入孔には内側トリム部材２０の取付ボスが挿入され、取付ボスの先端部が熱カシメされる。これにより、内側トリム部材２０と外側トリム部材１８との間で取付ボスが突っ張った状態で固定され、ドアトリム１６の剛性が確保される。一方、係止孔３６には内側トリム部材２０の係止片４２が弾性変形した状態で係止孔３６の周辺部に係止される。側突時、乗員のドアトリム１６への二次衝突により、内側トリム部材２０が変形すると、係止片４２の係止爪５０が係止孔３６の周辺部から外れる。これにより、係止片４２の弾性力によって生じる反力が低減され、側突における乗員の二次衝突による衝突反力が減少する。【選択図】図４
2013103687.tif 000002
【特許請求の範囲】
【請求項１】
サイドドアのドア内板を構成するドアインナパネルの車室内側に取付けられると共に開口部を有する外側トリム部材と、前記外側トリム部材の開口部を覆い、かつ外側トリム部材との間に車両幅方向において隙間を設けた状態で当該外側トリム部材に取り付けられる内側トリム部材と、を含んで構成されたドアトリムと、
前記ドアトリムにおける車両後部領域に位置する前記内側トリム部材と前記外側トリムとの取付部において、内側トリム部材に設けられ外側トリム部材に形成された係止孔へ挿入されると共に弾性変形した状態で先端部が前記係止孔の周辺部に係止される係止片と、
前記内側トリム部材における前記係止片の車両上方側及び車両下方側の少なくとも一方に設けられ、前記外側トリム部材に形成された挿入孔へ挿入され前記外側トリム部材に対して抜け止めされた状態で固定されることにより前記隙間を埋める取付ボスと、
を有する自動車用ドアトリムの取付構造。
【請求項２】
前記係止片は前記係止孔の内縁部に当接している請求項１に記載の自動車用ドアトリムの取付構造。
【請求項３】
前記係止片は、前記内側トリム部材から当該内側トリム部材の外縁側へ向かって延出されると共に車両幅方向に沿った直線に対して傾斜する方向へ延出される係止片本体と、前記係止片本体の先端部に設けられ前記内側トリム部材側へ向かって折り返され前記係止孔の周辺部に係止される係止爪と、を含んで構成されている請求項２に記載の自動車用ドアトリムの取付構造。
【請求項４】
前記ドアインナパネルに対して圧入により装着されるクリップが前記外側トリム部材に設けられ、前記係止片は前記クリップの車両前方側に設けられている請求項１〜３の何れか１項に記載の自動車用ドアトリムの取付構造。
【発明の詳細な説明】
【技術分野】
【０００１】
本発明は、自動車用ドアトリムの取付構造に関する。
【背景技術】
【０００２】
アッパトリム（内側トリム部材）とロアトリム（外側トリム部材）とが接合される２ピース構成のドアトリムがある。例えば、特許文献１では、アッパトリムの裏面に取付ボスが突設され、当該取付ボスがロアトリムに設けられた取付孔へ挿通された後、熱カシメされる。この先行技術では、アッパトリムに樹脂リブが形成されており、当該樹脂リブと一体的に補強プレートが形成されている。そして、この補強プレートに取付孔が形成され、当該取付孔に取付ボスが挿入されて熱カシメされるようになっている。
【０００３】
このように、樹脂リブと一体的に設けられた補強プレートに、当該取付ボスが挿入される取付孔が形成されることで、アッパトリムとロアトリムとの取付部における剛性を強化している。なお、この他にも特許文献２、３に熱カシメによる自動車用ドアトリムの取付構造が開示されている。
【先行技術文献】
【特許文献】
【０００４】
【特許文献１】特開２００５−１３８７９７号公報
【特許文献２】特開２００９−２９８３８３号公報
【特許文献３】特開２００９−２６９５７６号公報
【発明の概要】
【発明が解決しようとする課題】
【０００５】
通常使用時においてドアトリムはある程度の剛性が必要であるが、ドアトリムの単純剛性を上げると、車両の側面衝突（以下、「側突」という）における乗員の二次衝突においてドアトリムが変形し難くなり、衝突反力を減少させる上で改善の余地がある。
【０００６】
本発明は、上記事情に鑑みてなされたものであって、ドアトリムの剛性を確保すると共に、側突における乗員の二次衝突による衝突反力を減少させることが可能な自動車用ドアトリムの取付構造を提供することを目的とする。
【課題を解決するための手段】
【０００７】
前記課題を解決するために、請求項１に記載の自動車用ドアトリムの取付構造は、サイドドアのドア内板を構成するドアインナパネルの車室内側に取付けられると共に開口部を有する外側トリム部材と、前記外側トリム部材の開口部を覆い、かつ外側トリム部材との間に車両幅方向において隙間を設けた状態で当該外側トリム部材に取り付けられる内側トリム部材と、を含んで構成されたドアトリムと、前記ドアトリムにおける車両後部領域に位置する前記内側トリム部材と前記外側トリムとの取付部において、内側トリム部材に設けられ外側トリム部材に形成された係止孔へ挿入されると共に弾性変形した状態で先端部が前記係止孔の周辺部に係止される係止片と、前記内側トリム部材における前記係止片の車両上方側及び車両下方側の少なくとも一方に設けられ、前記外側トリム部材に形成された挿入孔へ挿入され前記外側トリム部材に対して抜け止めされた状態で固定されることにより前記隙間を埋める取付ボスと、を有している。
【０００８】
請求項１に記載の自動車用ドアトリムの取付構造では、サイドドアのドア内板を構成するドアインナパネルの車室内側に、ドアトリムの一部を構成する外側トリム部材が取り付けられている。この外側トリムには、ドアトリムの一部を構成する内側トリム部材が当該外側トリム部材との間に車両幅方向において隙間を設けた状態で取り付けられている。また、外側トリム部材は開口部を有しており、当該開口部は内側トリム部材によって覆われる。
【０００９】
そして、ドアトリムにおける車両後部領域に位置する内側トリム部材と外側トリム部材との取付部において、内側トリム部材には係止片が設けられ、外側トリム部材には当該係止片が挿入される係止孔が形成されている。この係止孔へ係止片が挿入された後、当該係止片は弾性変形した状態で係止片の先端部が係止孔の周辺部に係止される。つまり、係止片を介して内側トリム部材を外側トリム部材側へ向かって（車両幅方向外方へ向かって）押圧する押圧力が作用する。このため、内側トリム部材には当該押圧力に抗する反力が生じ、内側トリム部材はこの部分において必要な剛性を確保することができる。
【００１０】
一方、内側トリム部材には、係止片の車両上方側及び車両下方側の少なくとも一方に取付ボスが設けられており、外側トリム部材に形成された挿入孔へ当該取付ボスが挿入され、当該取付ボスが外側トリム部材に対して抜け止めされた状態で固定される。そして、この状態で、内側トリム部材と外側トリム部材との間に設けられた隙間が、取付ボスによって埋められる。これにより、取付ボスを介して内側トリム部材を外側トリム部材にしっかりと取り付けることができる。つまり、内側トリム部材と外側トリム部材との間で取付ボスは突っ張ることとなり、内側トリム部材は撓み難くなる。
【００１１】
以上のように、弾性変形した状態で係止孔の周辺部に係止される係止片、及び外側トリム部材に対して抜け止めされた状態で固定される取付ボスにより、ドアトリムの通常使用時の剛性は確保される。
【００１２】
ここで、係止片は弾性変形した状態でその先端部が係止孔の周辺部に係止されるようになっており、内側トリム部材と外側トリム部材との間で突っ張るようにはなっていない。このため、自動車の側突時、乗員のドアトリムへの二次衝突により内側トリム部材が外側トリム部材側へ変形すると、係止片の先端部が係止孔の周辺部から外れ、係止孔内を係止片はその先端部側から根元部側へ移動する。
【００１３】
前述のように、係止片は弾性変形した状態で係止片の先端部が係止孔の周辺部に係止されているのみであるので、係止片の先端部が係止孔の周辺部に係止された状態が解除されると（係止片の先端部が係止孔の周辺部から外れると）、当該係止片によって生じる反力が低減する。つまり、側突における乗員の二次衝突による衝突反力を減少させ、乗員の二次衝突に関する側突性能を確保することができる。
【００１４】
請求項２に記載の自動車用ドアトリムの取付構造は、請求項１において、前記係止片は前記係止孔の内縁部に当接している。
【００１５】
側突時、乗員のドアトリムへの二次衝突により内側トリム部材が外側トリム部材側へ変形すると、係止片は係止孔内を係止片の先端部側から根元部側へ移動する。このため、請求項２の構成では、係止片が係止孔の内縁部に当接（干渉）して設けられることで、係止片の移動時に当該係止片と係止孔との間で摺動抵抗が生じ、これによって、衝撃エネルギーが吸収される。
【００１６】
請求項３に記載の自動車用ドアトリムの取付構造は、請求項２において、前記係止片は、前記内側トリム部材から当該内側トリム部材の外縁側へ向かって延出されると共に車両幅方向に沿った直線に対して傾斜する方向へ延出される係止片本体と、前記係止片本体の先端部に設けられ前記内側トリム部材側へ向かって折り返され前記係止孔の周辺部に係止される係止爪と、を含んで構成されている。
【００１７】
請求項３の構成では、係止片は係止片本体と係止爪とを含んで構成されている。係止片本体は、内側トリム部材から当該内側トリム部材の外縁側へ向かって延出されると共に車両幅方向に沿った直線に対して傾斜する方向へ延出されており、当該係止片本体の先端部には係止爪が形成されている。この係止爪は内側トリム部材側へ向かって折り返されており、外側トリム部材に形成された係止孔へ挿入されるようになっている。そして、係止片本体が当該係止孔へ挿入された状態で、係止爪が係止孔の周辺部に係止される。
【００１８】
側突時、乗員のドアトリムへの二次衝突により内側トリム部材が外側トリム部材側へ変形すると、係止孔内を係止本体がその先端部側から根元部側へ移動する。つまり、係止片は外側トリム部材側へ移動する。係止片本体が車両幅方向に沿った直線に対して傾斜して形成されることで、係止片本体が車両幅方向に沿った直線に沿って形成された場合と比較して、係止片本体を長く形成させることができる。これにより、係止片本体と係止孔との間で摺動抵抗が生じる長さを長くすることができる。つまり、衝撃エネルギーが吸収されるストロークを長くすることができる。
【００１９】
請求項４に記載の自動車用ドアトリムの取付構造は、請求項１〜３の何れか１項において、前記ドアインナパネルに対して圧入により装着されるクリップが前記外側トリム部材に設けられ、前記係止片は前記クリップの車両前方側に設けられている。
【００２０】
請求項４の構成では、外側トリム部材にはクリップが設けられており、ドアインナパネルに対して圧入により装着されるようになっている。このクリップの車両前方側に係止片が設けられている。
【００２１】
クリップはドアインナパネルに対して圧入により装着されるため、外側トリム部材側ではクリップをドアインナパネルへ装着させるための押圧力に耐え得る剛性が必要とされる。このため、当該クリップが設けられている部分では、外側トリム部材における他の部分よりも予め剛性が大きくなるように設定される。一方、係止片が設けられている部位は、取付ボスが設けられている部位よりも剛性が低くなっている。したがって、係止片をクリップの車両前方側に設けるようにすることで、内側トリム部材と外側トリムとの取付部において、係止片により取付ボスが設けられている部位よりも剛性が低くなった分を当該クリップの剛性によって担保することができる。
【発明の効果】
【００２２】
以上説明したように、請求項１記載の発明に係る自動車用ドアトリムの取付構造は、ドアトリムの剛性を確保すると共に、側突における乗員の二次衝突による衝突反力を減少させることができる、という優れた効果を有する。
【００２３】
請求項２記載の発明に係る自動車用ドアトリムの取付構造は、側突時に乗員が内側トリム部材から受ける衝撃を緩和することができる、という優れた効果を有する。
【００２４】
請求項３記載の発明に係る自動車用ドアトリムの取付構造は、長いストロークで内側トリム部材に作用した衝撃を吸収することができる、という優れた効果を有する。
【００２５】
請求項４記載の発明に係る自動車用ドアトリムの取付構造は、側突における乗員の二次衝突による衝突反力を減少させるために低くなった剛性分をクリップの剛性によって担保することができる、という優れた効果を有する。
【図面の簡単な説明】
【００２６】
【図１】本実施の形態に係る自動車用ドアトリムの取付構造が適用されたサイドドアを示す分解斜視図である。
【図２】本実施の形態に係る自動車用ドアトリムの取付構造が適用されたドアトリムの正面図である。
【図３】図２の３−３線に沿って切断した状態を示す拡大断面図である。
【図４】（Ａ）は図２の４（Ａ）−４（Ａ）線に沿って切断した状態を示す拡大断面図であり、（Ｂ）、（Ｃ）はドアトリムが変形していく過程を示す拡大断面図である。
【発明を実施するための形態】
【００２７】
以下、図面を参照しながら、本発明の一実施形態について説明する。なお、図中に適宜記す矢印ＦＲは車両前後方向の前方向を示し、矢印ＵＰは車両上下方向の上方向を、矢印ＯＵＴは車両幅方向外側をそれぞれ示す。
【００２８】
（自動車用ドアトリムの取付構造の構成）
図１には、本実施形態に係る自動車用ドアトリムの取付構造が適用された乗用自動車等の車両のサイドドア１２において、ドアパネル１４及びドアトリム１６（外側トリム部材１８及び内側トリム部材２０）を車室２２内側から見た状態の分解側面図が示されている。また、図２は、ドアトリム１６において、外側トリム部材１８に内側トリム部材２０が取り付けられた状態の正面図が示されている。
【００２９】
図１に示すドアパネル１４は図示しないドアアウタパネルとドアインナパネル２４とを備えており、ドアインナパネル２４はドアパネル１４の内板を構成している。ドアインナパネル２４の車両幅方向内側（車室２２内側）には、当該ドアインナパネル２４に対向してドアトリム１６が取り付けられている。
【００３０】
ここで、ドアトリム１６は、ドアインナパネル２４の車室２２内側に取付けられる外側トリム部材１８と、当該外側トリム部材１８に取り付けられる内側トリム部材２０と、を含んで構成されている。図３に示されるように、外側トリム部材１８は略箱状を成しており、外側トリム部材１８の外縁部には縦壁１８Ａが設けられている。つまり、外側トリム部材１８は車室２２内側へ突出しており、外側トリム部材１８がドアインナパネル２４に取り付けられた状態で、外側トリム部材１８の表壁１８Ｂとドアインナパネル２４の表面２４Ａとの間には隙間２６が設けられている。なお、ここでは縦壁１８Ａの形状は簡略化され略直線状として図示されている。
【００３１】
また、図１に示されるように、外側トリム部材１８において、当該外側トリム部材１８の上部側には略矩形状の開口部２８が形成されており、開口部２８の下方側にはペットボトルなどを収納可能な収納部３０が設けられている。また、開口部２８の周辺部には、枠状の取付座面３２が形成されている。
【００３２】
この取付座面３２における前部（車両前後方向の前側）に位置する前枠３２Ａには、円形状の挿入孔３４が複数設けられている。また、取付座面３２の上部に位置する上枠３２Ｂ、後部（車両前後方向の後側）に位置する後枠３２Ｃ及び下部に位置する下枠３２Ｄには、上述の挿入孔３４以外に矩形状の係止孔３６が所々に設けられている。
【００３３】
そして、ここでは係止孔３６の車両前方側及び車両後方側或いは係止孔３６の車両上方側及び車両下方側に挿入孔３４が設けられている。係止孔３６は、例えば、図示はしないが、ここでは、シートに着座した乗員の胸部位置や腰部位置に相当する高さに設けられている。
【００３４】
一方、内側トリム部材２０は外側トリム部材１８に形成された開口部２８の周辺部に取付可能とされており、図２に示されるように、内側トリム部材２０が外側トリム部材１８に取り付けられた状態で、当該内側トリム部材２０によって開口部２８は塞がれる。
【００３５】
内側トリム部材２０における車両上下方向の中央側には、略車両前後方向に沿ってドアアームレスト２１が設けられており、当該ドアアームレスト２１の上面には、サイドドア１２に設けられたサイドガラス（図示省略）を昇降させるためのパワーウィンドスイッチ（図示省略）などが設けられている。
【００３６】
また、図３に示されるように、内側トリム部材２０は略箱状を成しており、内側トリム部材２０の外縁部には縦壁２０Ａが設けられている。つまり、内側トリム部材２０は車室２２内側へ突出しており、内側トリム部材２０が外側トリム部材１８に取り付けられた状態で、内側トリム部材２０の表壁２０Ｂと外側トリム部材１８の表壁１８Ｂとの間には車両幅方向の隙間３８が設けられている。なお、ここでは縦壁２０Ａの形状は簡略化され略直線状として図示されている。
【００３７】
ここで、図１に示されるように、内側トリム部材２０の外縁側には、外側トリム部材１８の取付座面３２に設けられた挿入孔３４及び係止孔３６に対応して、取付ボス４０及び係止片４２がそれぞれ設けられている。つまり、ここでは係止片４２の車両前方側及び車両後方側或いは係止片４２の車両上方側及び車両下方側に取付ボス４０が設けられている。なお、取付ボス４０及び係止片４２は、本件の要旨となる内側トリム部材２０の車両後方側のみ図示している。
【００３８】
図２及び図３に示されるように、取付ボス４０は円筒状を成しており、外側トリム部材１８に形成された挿入孔３４へ挿入可能な大きさに設定されている。また、取付ボス４０の外周面からは略車両前後方向及び略車両上下方向に沿って十字状にそれぞれ略矩形状のリブ４４が張り出している。なお、リブ４４が内側トリム部材２０の縦壁２０Ａに近接している場合は、当該リブ４４は縦壁２０Ａと一体に形成される。また、ここでの「略車両前後方向」及び「略車両上下方向」について、リブ４４は内側トリム部材２０の表壁２０Ｂと縦壁２０Ａとの間で形成される稜線Ｐ（図２参照）に沿って設けられることが望ましく、当該稜線Ｐによってはリブ４４が車両前後方向又は車両上下方向に沿った直線に対して傾斜する場合もある。
【００３９】
また、リブ４４は取付ボス４０よりも低くなるように設定されており、取付ボス４０の先端部が挿入孔３４を貫通可能とされている。そして、取付ボス４０の先端部が挿入孔３４へ挿入された状態で、取付ボス４０の先端部は取付座面３２の裏面側（車両外側）から露出し、リブ４４の先端面が取付座面３２の表面側（車両内側）に当接した状態で取付ボス４０（内側トリム部材２０）はその移動が規制される。なお、このとき、内側トリム部材２０の縦壁２０Ａは外側トリム部材１８の表壁１８Ｂに当接する。
【００４０】
このように、取付ボス４０の移動が規制された状態で、図３に示されるように、取付ボス４０の先端部は、熱カシメされた状態で（溶融部４６によって抜け止めされた状態で）固定される。これにより、当該取付ボス４０を介して内側トリム部材２０が外側トリム部材１８に取り付けられる。
【００４１】
一方、図４（Ａ）に示されるように、係止片４２は、内側トリム部材２０の表壁２０Ｂの裏面側から車両幅方向外側かつ車両後方側（内側トリム部材２０の外縁側）へ向かって延出する帯状の係止片本体４８を有し、係止片本体４８は車両幅方向に沿った直線に対して傾斜して形成されている。また、係止片本体４８は縦壁２０Ａの先端部から張り出す長さに設定されており、係止片本体４８の先端部には車両幅方向内側かつ車両後方側へ向かって側面視で略Ｖ字状に折り返された係止爪５０が形成されている。
【００４２】
係止片４２は外側トリム部材１８に形成された係止孔３６へ挿入可能とされている。係止孔３６の短辺側の寸法Ｗ１は、係止爪５０の先端部から係止片本体４８までの最短距離（寸法Ｗ２）よりも小さく設定されている。このため、係止爪５０を係止孔３６へ挿入させる際には、係止爪５０の先端部５０Ａを係止片本体４８側へ向かって弾性変形させた状態で（係止爪５０の開き角度が閉じた状態で）、係止孔３６内を通過することとなる。
【００４３】
そして、内側トリム部材２０が外側トリム部材１８に取り付けられた状態で、係止片４２の係止爪５０は係止孔３６の周辺部に当接する（係止される）。ここで、係止爪５０が係止孔３６の周辺部に係止された状態で、係止片本体４８の先端部４８Ａの位置と根元部４８Ｂの位置とを結ぶ直線の長さＬ１よりも係止片本体４８の長さＬ２の方が長くなるように設定されている。
【００４４】
このため、係止爪５０が係止孔３６の周辺部に係止された状態では、係止片４２は弾性変形する。換言すると、係止片４２は弾性変形された状態で、係止爪５０が係止孔３６の周辺部に係止される。つまり、係止片４２には弾性力が作用しているため、係止爪５０の先端部５０Ａは係止孔３６の周辺部に食い込むようにして係止される。そして、この状態で、係止片本体４８における車室内側の当接面４８Ｃは係止孔３６の内縁部に当接（干渉）している。前述のように、係止片４２には弾性力が作用しているため、係止片本体４８の当接面４８Ｃは係止孔３６の内縁部に対していわゆる強干渉された状態となっている。
【００４５】
このようにして、前述の取付ボス４０（図３参照）と共に当該係止片４２を介して、内側トリム部材２０が外側トリム部材１８に取り付けられた状態で、外側トリム部材１８（ドアトリム１６）はドアインナパネル２４に取り付けられるようになっている。
【００４６】
図１に示されるように、ドアインナパネル２４の外縁側には円形状の装着孔５２が形成されている。一方、図２に示されるように、外側トリム部材１８には台座５４が突設されている。この台座５４には例えば略円錐状のクリップ５６が取付可能とされている。このクリップ５６は弾性変形可能とされており、当該クリップ５６が装着孔５２に対して圧入により装着孔５２の周辺部に装着される。このクリップ５６が、ドアインナパネル２４の装着孔５２の周辺部に装着された状態で、ドアトリム１６はドアインナパネル２４に取付られることとなる。そして、これらクリップ５６及び台座５４の近傍（車両前方側）には、係止孔３６及び係止片４２が設けられている。
【００４７】
（自動車用ドアトリムの取付構造の作用・効果）
図１に示されるように、ドアトリム１６は外側トリム部材１８と内側トリム部材２０とを含んで構成されており、外側トリム部材１８に内側トリム部材２０が取り付けられるようになっている。そして、本実施形態では、外側トリム部材１８に形成された開口部２８の周辺部に設けられた取付座面３２の上枠３２Ｂ、後枠３２Ｃ及び下枠３２Ｄにおいて、挿入孔３４以外に係止孔３６が設けられている。
【００４８】
そして、図４（Ａ）に示されるように、この係止孔３６には内側トリム部材２０に形成された係止片４２が挿入され、当該係止片４２は弾性変形した状態で係止爪５０が係止孔３６の周辺部に係止されるようになっている。つまり、係止片４２を介して内側トリム部材２０を外側トリム部材１８側へ向かって（車両幅方向外方へ向かって）押圧する押圧力が作用する。このため、内側トリム部材２０には当該押圧力に抗する反力が生じ、内側トリム部材２０はこの部分において必要な剛性を確保することができる。
【００４９】
一方、図３に示されるように、挿入孔３４には内側トリム部材２０に形成された取付ボス４０が挿入され、当該取付ボス４０の先端部が熱カシメされた状態（抜け止めされた状態）で、内側トリム部材２０が外側トリム部材１８に固定されるようになっている。この状態で、内側トリム部材２０と外側トリム部材１８との間に設けられた隙間３８が取付ボス４０によって埋められる。これにより、取付ボス４０を介して内側トリム部材２０が外側トリム部材１８にしっかりと取り付けられる。つまり、内側トリム部材２０と外側トリム部材１８との間で取付ボス４０が突っ張ることとなり、内側トリム部材２０は撓み難くなる。
【００５０】
以上のように、図４（Ａ）に示されるように、弾性変形した状態で係止孔３６の周辺部に係止される係止片４２、及び図３に示されるように、外側トリム部材１８に対して抜け止めされた状態で固定される取付ボス４０により、ドアトリム１６の通常使用時の剛性は確保される。
【００５１】
ここで、図４（Ａ）に示されるように、係止片４２は弾性変形した状態で係止爪５０が係止孔３６の周辺部に係止されるようになっており、内側トリム部材２０と外側トリム部材１８との間で突っ張るようにはなっていない。このため、自動車の側突時、乗員のドアトリム１６への二次衝突により、図４（Ｂ）に示されるように、内側トリム部材２０が外側トリム部材１８側へ変形すると、係止片４２の係止爪５０が係止孔３６の周辺部に係止された状態が解除される（係止片４２の係止爪５０が係止孔３６の周辺部から外れる）。
【００５２】
つまり、係止孔３６内を係止片本体４８の先端部４８Ａ側から根元部４８Ｂ側へ係止片４２が移動する。前述のように、係止片４２は弾性変形した状態で係止爪５０が係止孔３６の周辺部に係止され、これによって外側トリム部材１８には押圧力が作用し内側トリム部材２０には当該押圧力に抗する反力が生じる。このため、係止片４２の係止爪５０が係止孔３６の周辺部から外れると、当該係止片４２によって生じる反力が低減する。つまり、側突における乗員の二次衝突による衝突反力を減少させ、乗員の二次衝突に関する側突性能を確保することができる。また、この係止片４２の車両前方側及び車両後方側或いは係止片４２の車両上方側及び車両下方側に取付ボス４０が設けられており、係止片４２により剛性が低くなった分を取付ボス４０の剛性によって補填している。
【００５３】
以上のことから、本実施形態によれば、ドアトリム１６の剛性を確保すると共に、側突における乗員の二次衝突による衝突反力を減少させることができる。特に、本実施形態では、シートに着座した乗員の胸部位置や腰部位置に相当する高さに係止孔３６が設けられているため、当該乗員の胸部位置や腰部位置に相当する高さにおいて、衝突反力を減少させることができる。なお、この係止孔３６は、少なくとも当該乗員の胸部位置に相当する高さに設けられていれば良い。
【００５４】
また、本実施形態では、図４（Ａ）に示されるように、係止爪５０が弾性変形した状態で係止孔３６の周辺部に係止された状態で、係止片本体４８の当接面４８Ｃは係止孔３６の内縁部に当接（強干渉）している。このため、図４（Ｂ）、（Ｃ）に示されるように、係止片４２は係止孔３６内を係止片本体４８がその先端部４８Ａ側から根元部４８Ｂ側へ移動する際、係止片本体４８の当接面４８Ｃが係止孔３６の内縁部を摺動しながら移動することとなる。これにより、係止片４２と係止孔３６の内縁部との間で摺動抵抗が生じ、これによって、衝撃エネルギーが吸収される。つまり、側突時に乗員が内側トリム部材２０から受ける衝撃を緩和することができる。
【００５５】
さらに、本実施形態では、図４（Ａ）に示されるように、係止片４２は内側トリム部材２０の裏面側から車両幅方向外側かつ車両後方側へ向かって延出している。つまり、係止片４２における係止片本体４８は車両幅方向に沿った直線に対して傾斜して形成されている。前述したように、側突時、乗員のドアトリム１６への二次衝突により、図４（Ｂ）に示されるように、内側トリム部材２０の変形によって係止片本体４８が係止孔３６内を移動する。係止片本体４８が車両幅方向に沿った直線に対して傾斜して形成されることで、当該係止片本体４８が当該直線に沿って形成された場合と比較して、係止片本体４８を長く形成させることができる。これにより、係止片本体４８と係止孔３６との間で摺動抵抗が生じる長さを長くすることができる。つまり、衝撃エネルギーが吸収されるストロークを長くすることができる。
【００５６】
なお、図４（Ｃ）に示されるように、係止片４２の係止爪５０がドアインナパネル２４に当接すると、係止片４２は弾性変形しながら係止爪５０の根元部（係止片本体４８の先端部４８Ａ）がドアインナパネル２４の表面２４Ａを摺動する。つまり、係止片４２による弾性力及び摺動力によって衝撃エネルギーを吸収することができる。
【００５７】
一方、図２に示されるように、ドアトリム１６の台座５４及びクリップ５６の近傍に、係止孔３６及び係止片４２が設けられている。クリップ５６はドアインナパネル２４（図１参照）に形成された装着孔５２（図１参照）へ圧入により装着孔５２の周辺部に装着されるため、外側トリム部材１８側ではクリップ５６をドアインナパネル２４へ圧入させるための押圧力に耐え得る剛性が必要とされる。このため、当該台座５４及びクリップ５６が設けられている部分では、外側トリム部材１８における他の部分よりも予め剛性が大きくなるように設定される。一方、係止片４２が設けられている部位は、取付ボス４０が設けられている部位よりも剛性が低くなっている。
【００５８】
したがって、係止片４２を台座５４及びクリップ５６の近傍に設けるようにすることで、内側トリム部材２０と外側トリム部材１８との取付部において、係止片４２により取付ボス４０が設けられている部位よりも剛性が低くなった分を当該台座５４及びクリップ５６の剛性によって担保することができる。
【００５９】
なお、本実施形態では、回動式のサイドドア１２を図示して説明したが、スライド式のサイドドアに本発明を適用させても良い。
【００６０】
（本実施形態の補足）
本実施形態では、図４（Ａ）に示されるように、係止片４２は内側トリム部材２０の表壁２０Ｂの裏面側から車両幅方向外側かつ車両後方側へ向かって延出している。すなわち、当該係止片４２は内側トリム部材２０と一体に形成されているが、内側トリム部材２０とは別に形成されても勿論良い。また、係止片４２は車両幅方向に沿った直線に対して傾斜して形成されているが、内側トリム部材２０の形状などによっては車両幅方向に沿った直線に沿って形成されても良い。
【００６１】
また、係止片４２は、先端部が側面視で略Ｖ字状を成す帯状としているが、弾性変形した状態で係止孔３６の周辺部に係止されれば良いため、この形状に限るものではない。例えば、図示はしないが、係止爪が鏃状を形成し、係止孔３６の周辺部へ食い込ませるようにしても良い。また、係止爪５０の先端部５０Ａに鋸歯を形成して、係止孔３６の周辺部へ食い込ませるようにしても良い。係止片４２を介して内側トリム部材２０を外側トリム部材１８側へ向かって押圧する押圧力が作用するが、内側トリム部材２０には当該押圧力に抗する反力が生じる。これらの変形例では、この反力を増大させることができる。
【００６２】
さらに、本実施形態では、図３に示されるように、取付ボス４０の先端部を熱カシメして、内側トリム部材２０が外側トリム部材１８に固定されるようにしたが、内側トリム部材２０を外側トリム部材１８に取り付けることができれば良いため、これに限るものではない。例えば、図示はしないが、取付ボスの先端部からビスを螺合させ、当該ビスの頭部によって取付ボスが抜け止めされ、これによって、内側トリム部材２０が外側トリム部材１８に固定されるようにしても良い。
【００６３】
また、本実施形態では、図２に示されるように、係止片４２の車両前方側及び車両後方側或いは係止片４２の車両上方側及び車両下方側に取付ボス４０が設けられているが、当該取付ボス４０は内側トリム部材２０の剛性を担保するために形成されたものであるため、係止片４２の車両前方側及び車両後方側の少なくとも一方、或いは係止片４２の車両上方側及び車両下方側の少なくとも一方に設けられていれば良い。
【００６４】
さらに、本実施形態では、図４（Ａ）に示されるように、係止爪５０が係止孔３６の周辺部に係止された状態で、係止片本体４８の当接面４８Ｃが係止孔３６の内縁部に当接（干渉）するように設定したが、これに限るものではない。例えば、係止片４２の幅寸法と係止孔３６の幅寸法とが略同じとなるように形成して、係止片本体４８の側面も含め係止片４２は係止孔３６の内縁部とが当接（干渉）するようにしても良い。なお、必ずしも係止片本体４８が係止孔３６の内縁部に当接する必要はない。
【００６５】
また、本実施形態では、外側トリム部材１８に台座５４が突設され、当該台座５４にクリップ５６が取り付けられるようになっているが、必ずしも台座５４は必要ではなく、外側トリム部材１８にクリップ５６が一体に設けられるようにしても良い。
【００６６】
以上、本発明の一実施形態について説明したが、本発明は、上記に限定されるものでなく、上記以外にも、その主旨を逸脱しない範囲内において種々変形して実施可能であることは勿論である。
【符号の説明】
【００６７】
１２      サイドドア
１６      ドアトリム
１８      外側トリム部材（ドアトリム）
２０      内側トリム部材（ドアトリム）
２４      ドアインナパネル
２８      開口部
３４      挿入孔
３６      係止孔
３８      隙間
４０      取付ボス
４２      係止片
４８      係止片本体（係止片）
５０      係止爪（係止片）
５６      クリップ
【図１】
2013103687.tif 000003
【図２】
2013103687.tif 000004
【図３】
2013103687.tif 000005
【図４】
2013103687.tif 000006